(57)【要約】 【課題】  通信相手およびその通信相手に特有の予測変換処理を行うことができる通信装置およびその通信装置と通信する受信装置ならびにそれら装置を用いた通信方法を提供すること。【解決手段】  メール作成部１０１は、電子メール作成に際して、ユーザにより入力された文字などの入力情報に対応する複数の選択候補から選択された選択結果を電子メール本文に反映させ。一方、更新部１０６はその選択結果に基づいて変換ＤＢ格納部１０３に記憶されている変換候補データを更新し、メール送信部１０２はその更新した変換候補データを電子メール送信先に送信することができる。【選択図】  図１
2010257059.tif 000002
【特許請求の範囲】
【請求項１】
予測変換のための複数の変換候補データを通信宛先ごとに区別して記憶する記憶手段と、
電子メールを作成する際においてユーザから入力情報が受け付けられるたびに、前記記憶手段により記憶された複数の変換候補データのうち、通信宛先に対応した一の変換候補データを用いて、前記入力情報に対応する複数の選択候補を提示する提示手段と、
前記提示手段により提示された複数の選択候補から任意の一の候補をユーザの指示にしたがって選択する選択手段と、
前記選択手段により選択された選択結果を電子メール本文に反映させるとともに、その選択結果に基づいて前記記憶手段に記憶されている前記変換候補データを更新する更新手段と、
前記作成された電子メールとともに、前記更新手段により更新された変換候補データを電子メール送信先に送信する送信手段と、
を備える通信装置。
【請求項２】
前記記憶手段は、さらに属性ごとに区別して変換候補データを記憶することを特徴とする請求項１に記載の通信装置。
【請求項３】
前記記憶手段は複数の通信宛先を一レコードとして、他の通信宛先と区別した変換候補データを記憶することを特徴とする請求項１または２に記載の通信装置。
【請求項４】
請求項１から３のいずれか一項に記載の通信装置から電子メールを受信する受信装置であって、
予測変換のための複数の変換候補データを通信宛先ごとに区別して記憶する記憶手段と、
前記電子メールに付加されている変換候補データを受信する受信手段と、
前記記憶手段に記憶されている変換候補データを、前記受信手段により受信した変換候補データに書き換える更新手段と
を備える受信装置。
【請求項５】
電子メールを作成する際においてユーザから入力情報が受け付けられるたびに、記憶手段に記憶された通信宛先ごとに区別されて予測変換のための複数の変換候補データのうち、通信宛先に対応した一の変換候補データを用いて、前記入力情報に対応する複数の選択候補を提示する提示ステップと、
前記提示ステップにより提示された複数の選択候補から任意の一の候補をユーザの指示にしたがって選択する選択ステップと、
前記選択ステップにより選択された選択結果を電子メール本文に反映させるとともに、その選択結果に基づいて前記記憶手段に記憶されている前記変換候補データを更新する更新ステップと、
前記作成された電子メールとともに、前記更新ステップにより更新された変換候補データを電子メール送信先に送信する送信ステップと、
を備える通信方法。
【発明の詳細な説明】
【技術分野】
【０００１】
本発明は、通信装置、受信装置および通信方法に関する。
【背景技術】
【０００２】
現在、メール作成時の変換機能として、メール作成側の嗜好に基づき予測変換を行う機能が実現されている。また、通信宛先ごとに予測変換のためのデータベースを切り換えて相手によって適切な変換を行うことができる変換方法が考えられている（特許文献１参照）。
【先行技術文献】
【特許文献】
【０００３】
【特許文献１】特開２００７−２７２７３９号公報
【発明の概要】
【発明が解決しようとする課題】
【０００４】
しかしながら、上述特許文献１に記載の技術は、通信宛先ごとに引き継がれるものであることから、相手から送信されてくるメール作成で用いられた変換の嗜好性を自らの変換処理に反映することが難しい。また、特許文献１の技術は、返信メールの内容に応じた変換処理を行うことはできるが、そのメールの返信のみに対応するものであるため、その返信メール以降のものについては変換処理内容を反映させることはできない。
【０００５】
そこで、本発明は、通信相手およびその通信相手に特有の予測変換処理を行うことができる通信装置およびその通信装置と通信する受信装置ならびにそれら装置を用いた通信方法を提供することを目的とする。
【課題を解決するための手段】
【０００６】
上述の課題を解決するために、本発明の通信装置は、予測変換のための複数の変換候補データを通信宛先ごとに区別して記憶する記憶手段と、電子メールを作成する際においてユーザから入力情報が受け付けられるたびに、前記記憶手段により記憶された複数の変換候補データのうち、通信宛先に対応した一の変換候補データを用いて、前記入力情報に対応する複数の選択候補を提示する提示手段と、前記提示手段により提示された複数の選択候補から任意の一の候補をユーザの指示にしたがって選択する選択手段と、前記選択手段により選択された選択結果を電子メール本文に反映させるとともに、その選択結果に基づいて前記記憶手段に記憶されている前記変換候補データを更新する更新手段と、前記作成された電子メールとともに、前記更新手段により更新された変換候補データを電子メール送信先に送信する送信手段と、を備えている。
【０００７】
また、本発明の通信方法は、電子メールを作成する際においてユーザから入力情報が受け付けられるたびに、記憶手段に記憶された通信宛先ごとに区別されて予測変換のための複数の変換候補データのうち、通信宛先に対応した一の変換候補データを用いて、前記入力情報に対応する複数の選択候補を提示する提示ステップと、前記提示ステップにより提示された複数の選択候補から任意の一の候補をユーザの指示にしたがって選択する選択ステップと、前記選択ステップにより選択された選択結果を電子メール本文に反映させるとともに、その選択結果に基づいて前記記憶手段に記憶されている前記変換候補データを更新する更新ステップと、前記作成された電子メールとともに、前記更新ステップにより更新された変換候補データを電子メール送信先に送信する送信ステップと、を備えている。
【０００８】
この発明によれば、電子メール作成に際して入力情報に対応する複数の選択候補から選択された選択結果を電子メール本文に反映させるとともに、その選択結果に基づいて予め記憶されている変換候補データを更新して、その更新した変換候補データを電子メール送信先に送信することができる。これにより、電子メール送信先においても同じ予測変換のための変換候補データを有することができ、その送信先においても効率的に電子メールを作成することができる。特に、その電子メールに対して返信する場合は、電子メールの内容は似たようなものと類推できる。よって、その内容にあった予測変換のための変換候補データを有していれば、より効率的に文字入力等を行うことができる。
【０００９】
また、本発明の通信装置において、前記記憶手段は、さらに属性ごとに区別して変換候補データを記憶することが好ましい。
【００１０】
また、本発明の通信装置において、前記記憶手段は複数の通信宛先を一レコードとして、他の通信宛先と区別した変換候補データを記憶することが好ましい。
【００１１】
また、本発明の受信装置は、上記通信装置から電子メールを受信する受信装置であって、予測変換のための複数の変換候補データを通信宛先ごとに区別して記憶する記憶手段と、前記電子メールに付加されている変換候補データを受信する受信手段と、前記記憶手段に記憶されている変換候補データを、前記受信手段により受信した変換候補データに書き換える更新手段とを備えている。
【００１２】
この発明によれば、電子メールに付加されている更新用の変換候補データを受信し、予め記憶されている変換候補データを、更新用の変換候補データに書き換えることができる。これにより、送信側で用いられた予測変換を受信側でも実現することができ、使い勝手のよい装置を実現することができる。
【発明の効果】
【００１３】
本発明によれば、電子メール送信先においても同じ予測変換のための変換候補データを有することができ、その送信先においても効率的に電子メールを作成することができる。特に、その電子メールに対して返信する場合は、電子メールの内容は似たようなものと類推できる。よって、その内容にあった予測変換のための変換候補データを有していれば、より効率的に文字入力等を行うことができる。
【図面の簡単な説明】
【００１４】
【図１】本実施形態の移動機１００および移動機２００の機能を示すブロック図である。
【図２】予測変換用データベースの具体例を示す説明図である。
【図３】電子メールの用途・目的を示す属性と変換候補データとを対応付けたデータベースを示す説明図である。
【図４】予測変換処理の概念を示す概念図である。
【図５】移動機１００の処理を示すフローチャートである。
【図６】移動機２００の処理を示すフローチャートである。
【発明を実施するための形態】
【００１５】
添付図面を参照しながら本発明の実施形態を説明する。可能な場合には、同一の部分には同一の符号を付して、重複する説明を省略する。
【００１６】
図１は、本実施形態の移動機１００および移動機２００の機能を示すブロック図である。図１に示すように移動機１００は、メール作成部１０１、メール送信部１０２、変換ＤＢ格納部１０３、アドレス格納部１０４、メール受信部１０５、および更新部１０６を含んで構成されている。また、メール作成部１０１は、提示部１０１ａおよび選択部１０１ｂを含んでいる。移動機２００も同様にメール作成部２０１、メール送信部２０２、変換ＤＢ格納部２０３、アドレス格納部２０４、メール受信部２０５、および更新部２０６を含んで構成されており、移動機１００とそれぞれ同じ構成を有している。また、メール作成部２０１は、提示部２０１ａおよび選択部２０１ｂを含んでいる。
【００１７】
これら移動機１００および移動機２００は、ＣＰＵ、ＲＡＭ、ＲＯＭ、および無線通信モジュール等を備えており、ＲＯＭに記憶されているプログラムにしたがって、ＣＰＵは以下の各機能を実行することができる。
【００１８】
メール作成部１０１は、電子メールを作成するアプリケーションである。このメール作成部１０１は、通信宛先となる宛先アドレス、および送信対象となるメール本文を、ユーザからテンキー、キーボード、またはタッチパネル等から受け付けることができる。
【００１９】
また、メール作成部１０１は、選択候補を表示するための変換候補データが更新部１０６により更新されると、その更新された変換候補データを電子メールに添付する処理を行う。この変換候補データは、後述する提示部１０１ａおよび選択部１０１ｂにより複数の選択候補から一の候補が選択されることに伴って、適宜更新処理される。ここでは、通信宛先に基づいて添付する変換候補データを選択し、電子メールに添付することができる。
【００２０】
また、このメール作成部１０１に備えられている提示部１０１ａは、メール作成部１０１において入力された通信宛先に対応する変換候補データを変換ＤＢ格納部１０３から抽出し、電子メールを作成する際においてユーザから文字などの入力情報が受け付けられるたびに、この変換候補データを用いて複数の選択候補を、例えばディスプレイを介してユーザに提示する部分である。
【００２１】
選択部１０１ｂは、提示部１０１ａにより提示された複数の選択候補から任意の一つをユーザ指示にしたがって選択する部分である。選択部１０１ｂにより選択された候補に基づいて変換候補データは更新処理される。
【００２２】
メール送信部１０２は、メール作成部１０１により作成された電子メールをその通信宛先に送信する部分である。
【００２３】
変換ＤＢ格納部１０３は、予測変換用データベースを記憶する部分である。例えば、図２に予測変換用データベースの具体例を示す。図２に示されるように、管理ＩＤ、ＤＢＮｏ（ナンバー）、通信宛先を示すアドレス、そして変換候補データを対応付けて記憶する。上述提示部１０１ａは、この予測変換用データベースを用いて、通信宛先に対応する変換候補データを抽出し、この変換候補データを用いて予測変換処理を行わせることができる。また、この予測変換用データベースは、通信宛先ごとに変換候補データを対応付けて記憶してもよいし、複数の通信宛先を一レコードとして、他の通信宛先と区別したデータベースを記憶するようにしてもよい。すなわち、複数の通信宛先をひとまとめにして一の変換候補データと対応付けてもよい。
【００２４】
図４に、予測変換処理の概念を示す概念図を示す。図４（ａ）が従来における予測変換候補を提示するときの画面例を示す。図４（ａ）においては、予測変換画面には、ＡＢＣＤＥＦＧの順にその選択候補が表示されている。なお、Ａ、Ｂ・・・のそれぞれ一文字は、予測変換のための一選択候補を示している。
【００２５】
そして、本実施形態における変換ＤＢ格納部１０３を利用すると、例えば、通信宛先としてあて先Ａが入力されていた場合には、そのあて先Ａ用のための変換候補データにしたがって選択候補が表示される。図４（ｂ）では、ＢＡＦＧの順にその選択候補が表示される。また、同様に図４（ｃ）では、あて先Ｂ用の選択候補として、ＧＥＦＣＤの順にそれぞれ選択候補が表示される。
【００２６】
なお、ここではあて先ごとに区別した変換候補データを対応付けて記憶しているが、これに限るものではなく、例えば、後述するとおり、通信宛先ごとに定められた属性ごとに変えることもできる。すなわち、この変換ＤＢ格納部１０３は、電子メールの用途・目的を示す属性と変換候補データとを対応付けて記憶してもよい。図３は、その具体例を示す説明図である。図３に示すように、電子メールの用途・目的を示す属性として、仕事、プライベートが記憶され、夫々用途・目的に応じた変換候補データが定められている。例えば、仕事を属性とする場合には、ビジネス用語が選択候補として提示部１０１ａに提示されるように、その変換候補データが設定されている。この属性は、電子メールを作成するときに図示しない入力部からユーザにより設定されてもよいし、予め通信宛先となるアドレスに対応付けて記憶され、アドレスが定まると、それに対応する属性が読み出され、そしてその属性に応じた変換候補データが選択されるようにしてもよい。
【００２７】
アドレス格納部１０４は、電子メール送信の送信宛先を記憶する部分である。いわゆるアドレス帳である。
【００２８】
メール受信部１０５は、移動機２００から電子メールを受信する部分である。また、このメール受信部１０５は、移動機２００において送信された電子メールに添付された変換候補データを受信することができる。
【００２９】
更新部１０６は、メール作成部１０１においてメール本文を作成するにあたって選択候補から一の候補を選択した結果を変換候補データに反映させるために、変換候補データの更新処理を行う部分である。この更新部１０６は、ユーザにより一の候補が選択されるたびに、次回表示される選択候補の表示順や、表示対象を変えることができるよう変換候補データを更新する。すなわち、ユーザの嗜好にあった予測変換処理を行うことができるように、更新処理を行うことができる。
【００３０】
また、更新部１０６は、メール受信部１０５において受信された変換候補データを用いて変換ＤＢ格納部１０３に記憶されている予測変換データベースの変換候補データを更新することができる。すなわち、更新部１０６は、電子メールの発信元アドレスと一致する通信宛先を、予測変換データベースに記述されている通信宛先から認識し、そしてその通信宛先に対応する変換候補データを、メール受信部１０５において受信した変換候補データに書き換える処理を行う。
【００３１】
移動機２００においても同様の構成および機能を有している。すなわち、上述のそれぞれメール作成部２０１、メール送信部２０２、変換ＤＢ格納部２０３、アドレス格納部２０４、メール受信部２０５、および更新部２０６は、それぞれメール作成部１０１、メール送信部１０２、変換ＤＢ格納部１０３、アドレス格納部１０４、メール受信部１０５、および更新部１０６に相当するものであり、上述と同様の動作を実行するものである。
【００３２】
つぎに、このように構成された移動機１００および移動機２００の処理について説明する。なお、ここでは移動機１００が変換候補データを付きの電子メールを送信する側、移動機２００がその電子メールを受信する側として説明するが、それぞれ逆でもよい。
【００３３】
図５は、移動機１００の処理を示すフローチャートである。まず、ユーザ操作が行われると、メール作成部１０１により電子メールのアプリケーションが起動される（Ｓ１０１）。そして、メール作成部１０１により、ユーザにより通信宛先となるアドレスがユーザから受け付けられ、またはアドレス帳から選択される（Ｓ１０２）。そして、メール作成部１０１（提示部１０１ａ）により、変換ＤＢ格納部１０３に記憶されている予測変換データベースにおける複数の変換候補データから、ユーザから受け付けられまたは選択された通信宛先に対応する変換候補データが決定される（Ｓ１０３）。
【００３４】
そして、メール作成部１０１により、ユーザの入力操作からメール本文となる文字（入力情報）の入力が受け付けられる（Ｓ１０４）。ユーザから文字が入力されると、提示部１０１ａにより変換候補データにしたがって選択候補が表示される（Ｓ１０５）。そして、選択部１０１ｂにより選択候補から任意の一の候補が選択されると、更新部１０６により変換ＤＢ格納部１０３に記憶されている変換候補データが更新される（Ｓ１０６）。
【００３５】
メール本文の作成が終了するまで、繰り返し、文字入力、選択候補表示・選択、および更新処理が繰り返し行われる（Ｓ１０７：Ｎｏ）。メール本文の作成が終了し、ユーザにより送信ボタンが押下されると（Ｓ１０８）、その押下にしたがって、メール作成部１０１により電子メールに更新された変換候補データが添付され（Ｓ１０９）、そして、メール送信部１０２により送信される（Ｓ１１０）。
【００３６】
つぎに、このように変換候補データが添付された電子メールを受信する移動機２００の処理について説明する。図６は、移動機２００の処理を示すフローチャートである。メール受信部２０５により移動機１００から送信された電子メールが受信される（Ｓ２０１）。メール受信部２０５により更新データ（変換候補データ）となる添付ファイルの有無が判断され、更新データとなる添付ファイルがあると判断されると（Ｓ２０２：ＹＥＳ）、受信された更新データに基づいて、変換ＤＢ格納部２０３に記憶されている変換候補データが更新される（Ｓ２０３）。この更新処理が行われるとともに、受信された電子メールは、ディスプレイに表示される（Ｓ２０４）。
【００３７】
このようにして、受信側である移動機２００は、移動機１００において予測変換に用いられた変換候補データが取得され、その変換候補データを用いて更新処理される。
【００３８】
つぎに本実施形態の移動機１００および移動機２００の作用効果について説明する。変換候補データの送信側である移動機１００において、メール作成部１０１は、電子メール作成に際して、ユーザにより入力された文字などの入力情報に対応する複数の選択候補から選択された選択結果を電子メール本文に反映させ。一方、更新部１０６はその選択結果に基づいて変換ＤＢ格納部１０３に記憶されている変換候補データを更新し、メール送信部１０２はその更新した変換候補データを電子メール送信先に送信することができる。これにより、電子メール送信先においても同じ予測変換のための変換候補データを有することができ、その送信先においても効率的に電子メールを作成することができる。特に、その電子メールに対して返信する場合は、電子メールの内容は似たようなものと類推できる。よって、その内容にあった予測変換のための変換候補データを有していれば、より効率的に文字入力等を行うことができる。
【００３９】
この変換ＤＢ格納部１０３は、属性ごとに区別して変換候補データを記憶するようにしてもよい。また、複数の通信宛先を一レコードとして、他の通信宛先と区別した変換候補データを記憶するようにしてもよい。
【００４０】
また、更新用の変換候補データを受信する側である移動機２００においては、移動機１００から送信された電子メールに付加されている更新用の変換候補データを受信し、更新部２０６は、変換ＤＢ格納部２０３に記憶されている変換候補データを、更新用の変換候補データに書き換えることができる。これにより、送信側で用いられた予測変換を受信側でも実現することができ、使い勝手のよい装置を実現することができる。
【符号の説明】
【００４１】
１００…移動機、１０１…メール作成部、１０１ａ…提示部、１０１ｂ…選択部、１０２…メール送信部、１０３…変換ＤＢ格納部、１０４…アドレス格納部、１０５…メール受信部、１０６…更新部、２００…移動機、２０１…メール作成部、２０１ａ…提示部、２０１ｂ…選択部、２０２…メール送信部、２０３…格納部、２０４…アドレス格納部、２０５…メール受信部、２０６…更新部。
【図１】
2010257059.tif 000003
【図２】
2010257059.tif 000004
【図３】
2010257059.tif 000005
【図４】
2010257059.tif 000006
【図５】
2010257059.tif 000007
【図６】
2010257059.tif 000008